(57)【要約】【課題】指向性の制御が可能で小型のアンテナ装置を提供する。【解決手段】この室内アンテナ装置は、直交配置され、上方から見て卍型に形成された１対のループアンテナ１，２と、給電点Ｐ１〜Ｐ４と出力端子Ｔ１，Ｔ２との接続状態を切換えるスイッチ４とを備える。したがって、ループアンテナ１，２の各々の受信電波を独立に使用するか、ループアンテナ１，２の受信電波を合成して使用するかにより、室内アンテナ装置の指向性を４方向に切換えることができる。また、ループアンテナ１，２を卍型に形成するので、装置寸法の小型化を図ることができる。【選択図】図５
2008278167.tif 000002
【特許請求の範囲】
【請求項１】
直交配置され、上方または下方から見て卍型に形成された１対のループアンテナを備える、アンテナ装置。
【請求項２】
各ループアンテナは、長方形の上辺または下辺の中心点の一方側から前記長方形の外周を通って前記中心点の他方側に至る金属線を設け、前記金属線のうちの前記長方形の上辺および下辺に対応する各部分のうちの一方端部を前記長方形に略垂直な一方方向に折り曲げるとともに他方端部を前記長方形に略垂直な他方方向に折り曲げた形状を有する、請求項１に記載のアンテナ装置。
【請求項３】
さらに、前記１対のループアンテナのうちの一方のループアンテナの一方端および他方端にそれぞれ設けられた第１および第２の給電点と、
前記１対のループアンテナのうちの他方のループアンテナの一方端および他方端にそれぞれ設けられた第３および第４の給電点と、
受信した電波を出力するための２つの出力端子と、
前記アンテナ装置の指向性を互いに異なる第１〜第４の方向に切換えるための切換手段とを備え、
前記切換手段は、
前記指向性を前記第１の方向に制御する場合は、前記第１および第３の給電点を前記２つの出力端子のうちの一方の出力端子に接続するとともに前記第２および第４の給電点を他方の出力端子に接続し、
前記指向性を前記第２の方向に制御する場合は、前記第４および第３の給電点をそれぞれ前記２つの出力端子に接続し、
前記指向性を前記第３の方向に制御する場合は、前記第１および第４の給電点を前記２つの出力端子のうちの一方の出力端子に接続するとともに前記第２および第３の給電点を他方の出力端子に接続し、
前記指向性を前記第４の方向に制御する場合は、前記第１および第２の給電点をそれぞれ前記２つの出力端子に接続する、請求項２に記載のアンテナ装置。
【請求項４】
さらに、前記１対のループアンテナを収容した直方体状の筐体を備え、
前記１対のループアンテナのうちの前記長方形の左辺および右辺に対応する部分は前記筐体の四隅に配置され、
前記切換手段は前記筐体の外部から切換可能なスイッチである、請求項３に記載のアンテナ装置。
【発明の詳細な説明】
【技術分野】
【０００１】
この発明はアンテナ装置に関し、特に、ループアンテナを備えたアンテナ装置に関する。
【背景技術】
【０００２】
従来より、テレビ放送受信用の室内アンテナ装置には、ＶＨＦ（Very High Freguency）テレビ放送の電波を受信するためのロッドアンテナと、ＵＨＦ（Ultra High Freguency）テレビ放送の電波を受信するためのループアンテナが設けられている。
【０００３】
ロッドアンテナの指向性は、ロッドアンテナを伸縮および回動させることにより調整される。ループアンテナの指向性を調整する方法としては、ループアンテナが収容されたケース自体の方向を変える第１の方法（たとえば特許文献１参照）や、ループアンテナを回転機構によって回転させる第２の方法や、直交配置された１対のループアンテナで受信した電波を電気的に合成する第３の方法がある（たとえば特許文献２参照）。
【特許文献１】特開２００５−３１１９６０号公報
【特許文献２】特開平１０−２４２７３６号公報
【発明の開示】
【発明が解決しようとする課題】
【０００４】
しかし、従来の第１の方法では、ケースの方向を手動で変える必要があり、また、たとえばケースが写真立てを兼ねている場合に、指向性の調整後にケースが正面を向くとは限らず、使い勝手が悪い。
【０００５】
また、第２の方法では、回転するループアンテナをケースに収容すると、ケースが大型化するという問題がある。また、ループアンテナを回転させる回転機構を設けるので、装置構成が複雑になり、コスト高になってしまう。
【０００６】
また、第３の方法では、直交する１対のループアンテナをケースに収容した場合は、ケースが大型化するという問題がある。また、１対のループアンテナの受信電波を合成する合成装置を設けるので、装置構成が複雑になり、コスト高になってしまう。
【０００７】
それゆえに、この発明の主たる目的は、指向性の制御が可能で小型のアンテナ装置を提供することである。
【課題を解決するための手段】
【０００８】
この発明に係るアンテナ装置は、直交配置され、上方または下方から見て卍型に形成された１対のループアンテナを備えたものである。
【０００９】
好ましくは、各ループアンテナは、長方形の上辺または下辺の中心点の一方側から長方形の外周を通って中心点の他方側に至る金属線を設け、金属線のうちの長方形の上辺および下辺に対応する各部分のうちの一方端部を長方形に略垂直な一方方向に折り曲げるとともに他方端部を長方形に略垂直な他方方向に折り曲げた形状を有する。
【００１０】
また好ましくは、さらに、１対のループアンテナのうちの一方のループアンテナの一方端および他方端にそれぞれ設けられた第１および第２の給電点と、１対のループアンテナのうちの他方のループアンテナの一方端および他方端にそれぞれ設けられた第３および第４の給電点と、受信した電波を出力するための２つの出力端子と、アンテナ装置の指向性を互いに異なる第１〜第４の方向に切換えるための切換手段とを備える。この切換手段は、指向性を第１の方向に制御する場合は、第１および第３の給電点を２つの出力端子のうちの一方の出力端子に接続するとともに第２および第４の給電点を他方の出力端子に接続し、指向性を第２の方向に制御する場合は、第４および第３の給電点をそれぞれ２つの出力端子に接続し、指向性を第３の方向に制御する場合は、第１および第４の給電点を２つの出力端子のうちの一方の出力端子に接続するとともに第２および第３の給電点を他方の出力端子に接続し、指向性を第４の方向に制御する場合は、第１および第２の給電点をそれぞれ２つの出力端子に接続する。
【００１１】
また好ましくは、さらに、１対のループアンテナを収容した直方体状の筐体を備え、１対のループアンテナのうちの長方形の左辺および右辺に対応する部分は筐体の四隅に配置され、切換手段は筐体の外部から切換可能なスイッチである。
【発明の効果】
【００１２】
この発明に係るアンテナ装置では、１対のループアンテナを直交配置し、かつ上方または下方から見て卍型に形成するので、各ループアンテナの受信電波を独立に使用するか、１対のループアンテナの受信電波を合成して使用するかにより、アンテナ装置の指向性を４方向に切換えることができる。また、１対のループアンテナを卍型に形成するので、装置寸法の小型化を図ることができる。また、指向性の切換をスイッチで行なうことにより、低コスト化を図ることができる。
【発明を実施するための最良の形態】
【００１３】
図１は、この発明の一実施の形態によるテレビ放送受信用の室内アンテナ装置の要部を示す斜視図である。図１において、この室内アンテナ装置は、直交配置された１対のループアンテナ１，２を備える。ループアンテナ１，２は、ＵＨＦ放送を受信するために設けられている。
【００１４】
ループアンテナ１，２は、上方から見て卍型に形成されている。すなわち、ループアンテナ１は、図２に示すように、幅が約１４０ｍｍで高さが約１６０ｍｍで周囲長が約６００ｍｍの長方形３の下辺の中心点の一方側から長方形３の外周を通って中心点の他方側に至る金属線ＭＬを設け、金属線ＭＬのうちの長方形３の上辺および下辺に対応する各部分のうちの一方端から約３５ｍｍの部分を長方形３に略垂直な一方方向に折り曲げるとともに他方端から約３５ｍｍの部分を長方形３に略垂直な他方方向に折り曲げた形状を有する。金属線ＭＬのうちの長方形３の左辺および右辺に対応する部分の間隔は約９９ｍｍになっている。ループアンテナ２も、ループアンテナ１と同じ形状および寸法を有する。
【００１５】
なお、ループアンテナ１，２の各々の周囲長を約６００ｍｍとすると、４７０〜７７０ＭＨｚのＵＨＦ帯の電波のうち４７０ＭＨｚの電波に対しては周囲長が０．９４波長となり、７７０ＭＨｚの電波に対しては周囲長が１．５波長となり、電流定在波の振幅を高くしてＵＨＦ帯の全域において高い利得を得ることができる。
【００１６】
図３は、ループアンテナ１，２のうちの長方形３の下辺に対応する部分を上方から見た図である。図３において、ループアンテナ１，２の中心を水平面上の原点Ｏに配置し、ループアンテナ１の中央部に垂直な方向を０度とし、ループアンテナ２の中央部に垂直な方向を９０度とする。
【００１７】
ループアンテナ１は、２つのＬ字型のアンテナ片１ａ，１ｂを含む。アンテナ片１ａ，１ｂは原点Ｏの左右に配置される。アンテナ片１ａの一辺は２７０度方向に延在し、他辺は１８０度方向に延在する。アンテナ片１ｂの一辺は９０度方向に延在し、他辺は０度方向に延在する。アンテナ片１ａ，１ｂの原点Ｏ側の端部にそれぞれ給電点Ｐ１，Ｐ２が設けられる。
【００１８】
ループアンテナ２は、２つのＬ字型のアンテナ片２ａ，２ｂを含む。アンテナ片２ａ，２ｂは原点Ｏの前後に配置される。アンテナ片２ａの一辺は０度方向に延在し、他辺は２７０度方向に延在する。アンテナ片２ｂの一辺は１８０度方向に延在し、他辺は９０度方向に延在する。アンテナ片２ａ，２ｂの原点Ｏ側の端部にそれぞれ給電点Ｐ３，Ｐ４が設けられる。
【００１９】
また、この室内アンテナ装置は、図４に示すように、ループアンテナ１，２によって受信された電波をテレビ受信機に供給するための出力端子Ｔ１，Ｔ２と、給電点Ｐ１〜Ｐ４と出力端子Ｔ１〜Ｔ２との間に設けられたスイッチ４とを備える。スイッチ４は、室内アンテナ装置の指向性を４方向に切換えるために使用される。
【００２０】
図５（ａ）〜（ｈ）は、この室内アンテナ装置の指向性の制御方法を示す図である。図５（ａ）（ｂ）に示すように、室内アンテナ装置の８字指向性を０度方向（前方）および１８０度方向（後方）に向ける場合は、スイッチ４によって給電点Ｐ１，Ｐ３を出力端子Ｔ１に接続するとともに、給電点Ｐ２，Ｐ４を出力端子Ｔ２に接続する。０度方向および１８０度方向から送信された電波は、ループアンテナ１，２のうちの０度方向および１８０度方向に対向する部分Ａで受信されて出力端子Ｔ１，Ｔ２に供給される。したがって、室内アンテナ装置の指向性は、図５（ｂ）に示すように、０度方向および１８０度方向で受信感度が最大になる８字指向性となる。
【００２１】
また図５（ｃ）（ｄ）に示すように、室内アンテナ装置の８字指向性を４５度方向（右斜め前方）および２２５度方向（左斜め後方）に向ける場合は、スイッチ４によって給電点Ｐ３，Ｐ４をそれぞれ出力端子Ｔ２，Ｔ１に接続する。４５度方向および２２５度方向から送信された電波は、ループアンテナ１，２のうちの４５度方向および２２５度方向に対向する部分Ｂで受信されて出力端子Ｔ１，Ｔ２に供給される。したがって、室内アンテナ装置の指向性は、図５（ｄ）に示すように、４５度方向および２２５度方向で受信感度が最大になる８字指向性となる。
【００２２】
また図５（ｅ）（ｆ）に示すように、室内アンテナ装置の８字指向性を９０度方向（右横方向）および２７０度方向（左横方向）に向ける場合は、スイッチ４によって給電点Ｐ１，Ｐ４を出力端子Ｔ１に接続するとともに、給電点Ｐ２，Ｐ３を出力端子Ｔ２に接続する。９０度方向および２７０度方向から送信された電波は、ループアンテナ１，２のうちの９０度方向および２７０度方向に対向する部分Ｃで受信されて出力端子Ｔ１，Ｔ２に供給される。したがって、室内アンテナ装置の指向性は、図５（ｆ）に示すように、９０度方向および２７０度方向で受信感度が最大になる８字指向性となる。
【００２３】
また図５（ｇ）（ｈ）に示すように、室内アンテナ装置の８字指向性を１３５度方向（右斜め後方）および３１５度方向（左斜め前方）に向ける場合は、スイッチ４によって給電点Ｐ１，Ｐ２をそれぞれ出力端子Ｔ１，Ｔ２に接続する。１３５度方向および３１５度方向から送信された電波は、ループアンテナ１，２のうちの１３５度方向および３１５度方向に対向する部分Ｄで受信されて出力端子Ｔ１，Ｔ２に供給される。したがって、室内アンテナ装置の指向性は、図５（ｈ）に示すように、１３５度方向および３１５度方向で受信感度が最大になる８字指向性となる。
【００２４】
図６は、スイッチ４の要部を示す図である。図６において、スイッチ４は絶縁基板１０を含む。絶縁基板１０の表面には、４つの入力端子１１〜１４と、複数の電極１５と、２つの出力端子１６，１７が形成されている。入力端子１１〜１４は、それぞれ給電点Ｐ１〜Ｐ４に接続される。出力端子１６，１７は、それぞれ出力端子Ｔ１，Ｔ２に接続される。
【００２５】
絶縁基板１０の中央部は、４つの領域１０ａ〜１０ｄに分割され、４つの領域１０ａ〜１０ｄの各々は５行２列のサブ領域に分割されている。４つの領域１０ａ〜１０ｄは、図５（ａ）〜（ｈ）で示した４つの切換状態にそれぞれ対応している。また、各領域の２列のサブ領域は、それぞれ出力端子Ｔ１，Ｔ２に対応している。
【００２６】
領域１０ａの図中の右側の列では１、３および４行目の各サブ領域に電極１５が形成され、左側の列では２、３および５行目の各サブ領域に電極１５が形成されている。領域１０ｂの図中の右側の列では３および４行目の各サブ領域に電極１５が形成され、左側の列では３および５行目の各サブ領域に電極１５が形成されている。領域１０ｃの図中の右側の列では１、３および５行目の各サブ領域に電極１５が形成され、左側の列では２、３および４行目の各サブ領域に電極１５が形成されている。領域１０ｄの図中の右側の列では１および３行目の各サブ領域に電極１５が形成され、左側の列では２および３行目の各サブ領域に電極１５が形成されている。
【００２７】
１行目の３つの電極１５は、ともに入力端子１１に接続される。２行目の３つの電極１５は、ともに入力端子１２に接続される。３行目の８つの電極１５のうちの右側の列の４つの電極は出力端子１６に接続され、左側の列の４つの電極は出力端子１７に接続される。４行目の３つの電極１５は、ともに入力端子１３に接続される。５行目の３つの電極１５は、ともに入力端子１４に接続される。
【００２８】
また、スイッチ４は、図７（ａ）（ｂ）に示すように、スライダ２０と、２つの摺動子２１，２２とを含む。スライダ２０は、図６で示した絶縁基板１０の上方を行方向（図では左右方向）に移動可能に設けられている。摺動子２１，２２の各々は、弾性を有する金属板で形成され、スライダ２０の下面に固定されている。摺動子２１は各領域の右側の列の電極１５同士を短絡するために設けられ、摺動子２２は各領域の左側の列の電極１５同士を短絡するために設けられている。このため摺動子２１には５行に対応する５つの接点２１ａが設けられ、摺動子２２には５行に対応する５つの接点２２ａが設けられている。
【００２９】
図７（ａ）（ｂ）では、スライダ２０が領域１０ａの上方に位置決めされた状態が示されている。図７（ａ）では、摺動子２１，２２の接点２１ａ，２２ａがそれぞれ３行目の２つの電極１５に接触している。また、図７（ｂ）では、摺動子２１の３つの接点２１ａがそれぞれ１、３および５行目の電極１５に接触し、それらの電極１５は摺動子２１によって短絡されている。
【００３０】
図８（ａ）〜（ｄ）は、スイッチ４の動作を示す図である。なお、図面の簡単化のため電極１５を適宜省略している。室内アンテナ装置の８字指向性を０度方向および１８０度方向に向ける場合は、スライダ２０を領域１０ａの上方にセットする。これにより、図８（ａ）に示すように、領域１０ａの右側の列の１、３および４行目の電極１５が摺動子２１によって短絡され、給電点Ｐ１，Ｐ３と出力端子Ｔ１が接続される。また、領域１０ａの左側の列の２、３および５行目の電極１５が摺動子２２によって短絡され、給電点Ｐ２，Ｐ４と出力端子Ｔ２が接続される。
【００３１】
また、室内アンテナ装置の８字指向性を４５度方向および２２５度方向に向ける場合は、スライダ２０を領域１０ｂの上方にセットする。これにより、図８（ｂ）に示すように、領域１０ｂの右側の列の３および４行目の電極１５が摺動子２１によって短絡され、給電点Ｐ３と出力端子Ｔ１が接続される。また、領域１０ｂの左側の列の３および５行目の電極１５が摺動子２２によって短絡され、給電点Ｐ４と出力端子Ｔ２が接続される。
【００３２】
また、室内アンテナ装置の８字指向性を９０度方向および２７０度方向に向ける場合は、スライダ２０を領域１０ｃの上方にセットする。これにより、図８（ｃ）に示すように、領域１０ｃの右側の列の１、３および５行目の電極１５が摺動子２１によって短絡され、給電点Ｐ１，Ｐ４と出力端子Ｔ１が接続される。また、領域１０ｃの左側の列の２、３および４行目の電極１５が摺動子２２によって短絡され、給電点Ｐ２，Ｐ３と出力端子Ｔ２が接続される。
【００３３】
また、室内アンテナ装置の８字指向性を１３５度方向および３１５度方向に向ける場合は、スライダ２０を領域１０ｄの上方にセットする。これにより、図８（ｄ）に示すように、領域１０ｄの右側の列の１および３行目の電極１５が摺動子２１によって短絡され、給電点Ｐ１と出力端子Ｔ１が接続される。また、領域１０ｄの左側の列の２および３行目の電極１５が摺動子２２によって短絡され、給電点Ｐ２と出力端子Ｔ２が接続される。したがって、この実施の形態では、簡単な構成で指向性を４方向に切換えることができる。
【００３４】
図９は、この室内アンテナ装置３０の全体構成を示す斜視図である。図９において、室内アンテナ装置３０は、プラスチック製の直方体状のケース３１を備える。ケース３１は、右側カバー部３１ａ、中央部３１ｂ、左側カバー部３１ｃ、および台座３１ｄを含み、全体としてスピーカに見えるようにデザインされている。ケース３１の中央部３１ｂの前面には、指向性を外部から切換えれるようにスイッチ４のスライダ２０が設けられている。ケース３１の上面には、ＶＨＦ放送を受信するためのロッドアンテナ３２，３３の先端部が突出している。
【００３５】
図１０は、ロッドアンテナ３２，３３をケース３１の外に引き出して伸ばした状態を示す図である。ロッドアンテナ３２は、太さの異なる複数段の筒状アンテナ素子を含み、２段目以降が初段の筒状アンテナ素子内に収容可能になっている。ロッドアンテナ３２の初段の筒状アンテナ素子はケース３１内に垂直に固定されている。２段目の筒状アンテナ素子の基端には回動部材３２ａが設けられており、回動部材３２ａは２段目の筒状アンテナ素子とともに初段の筒状アンテナ素子内をスライド可能に設けられている。
【００３６】
２段目の筒状アンテナ素子が初段の筒状アンテナ素子から引き出された状態で、回動部材３２ａは、初段の筒状アンテナ素子の先端部と２段目の筒状アンテナ素子の基端部とを結合するとともに、２段目の筒状アンテナ素子を回動自在に支持する。ロッドアンテナ３３もロッドアンテナ３２と同じ構成であり、初段の筒状アンテナ素子と２段目の筒状アンテナ素子との間には回動部材３３ａが設けられており、２段目の筒状アンテナ素子は回動部材３３ａによって回動自在に支持されている。
【００３７】
図１１は、ケース３１の右側カバー部３１ａを外した状態を示す図である。図１１において、ケース３１内には、ループアンテナ１，２と、スイッチ４と、ロッドアンテナ３２，３３と、受信した電波を増幅してテレビ受信機に与えるための増幅器３４とが収容されている。
【００３８】
図１２は、室内アンテナ装置３０のうちのループアンテナ１，２、ロッドアンテナ３２，３３、左側カバー部３１ｃ、および台座３１ｄのみを示す図であり、図１３は、ループアンテナ１，２、ロッドアンテナ３２，３３、および台座３１ｄのみを示す図である。図１２および図１３において、ループアンテナ１，２のうちの図２の長方形３の左辺および右辺に対応する部分（垂直方向に延在する部分）はケース３１の四隅に配置されている。また、ロッドアンテナ３２，３３の各々は、ループアンテナ１と２の間に配置されている。これにより、ケース３１の小型化を図っている。
【００３９】
なお、室内アンテナ装置３０は、防水処理を施すことにより、屋外アンテナ装置として使用することができる。また、スライド型のスイッチ４の代わりに、ロータリースイッチや機械的スイッチを用いてもよい。
【００４０】
図１４（ａ）は、この実施の形態の比較例１を示す図である。図１４（ａ）において、このループアンテナ４０の幅は約１４０ｍｍであり、その高さは約１６０ｍｍであり、その周囲長は約６００ｍｍである。すなわち、このループアンテナ４０は、図２で示した長方形３と同じ寸法であり、ループアンテナ１の折り曲げ部を直線状にしたものである。図１５に示すように、このループアンテナ４０の利得の中心周波数は６２０ＭＨｚであり、４７０〜７７０ＭＨｚのＵＨＦ帯の全域で高い利得が得られる。しかし、図１４（ｂ）に示すように、２つのループアンテナ４０を直交配置すると、それらを収容するケースの体積は少なくとも約９９ｍｍ×９９ｍｍ×１６０ｍｍになる。
【００４１】
これに対して本願発明では、図１および図２で示したループアンテナ１，２を収容するケースの体積は約７０ｍｍ×７０ｍｍ×１６０ｍｍであるから、ケースの体積は比較例１の７０×７０／（９９×９９）≒０．５倍になる。また、図１５に示すように、ループアンテナ１の利得の中心周波数は６５０ＭＨｚであり、ループアンテナ４０の利得の中心周波数との差は３０ＭＨｚにとどまった。
【００４２】
図１４（ｃ）は、この実施の形態の比較例２を示す図である。図１４（ｃ）において、このループアンテナ４１の幅は約９９ｍｍであり、その高さは約１６０ｍｍである。図１４（ｄ）に示すように、２つのループアンテナ４１を直交配置すると、それらを収容するケースの体積は約７０ｍｍ×７０ｍｍ×１６０ｍｍとなり、本願発明と同じになる。しかし、ループアンテナ４１の周囲長が６００ｍｍよりも短くなってしまうので、図１５に示すように、ループアンテナ４１の利得の中心周波数は７１０ＭＨｚとなり、ループアンテナ４０の利得の中心周波数との差は９０ＭＨｚになった。したがって、本願発明によれば、比較的高い利得を維持しながら、装置寸法の小型化を図ることができる。
【００４３】
図１６は、この実施の形態の変更例を示す図であって、図３と対比される図である。図１６を参照して、この室内アンテナ装置が図３の室内アンテナ装置と異なる点は、ループアンテナ１，２の各々が図３と逆方向に折り曲げられている点である。すなわち、ループアンテナ１のＬ字型のアンテナ片１ａの一辺は２７０度方向に延在し、他辺は０度方向に延在する。アンテナ片１ｂの一辺は９０度方向に延在し、他辺は１８０度方向に延在する。ループアンテナ２のＬ字型のアンテナ片２ａの一辺は０度方向に延在し、他辺は９０度方向に延在する。アンテナ片２ｂの一辺は１８０度方向に延在し、他辺は２７０度方向に延在する。なお、この変更例のループアンテナ１，２は、下方から見れば卍型になっている。この変更例でも、実施の形態と同じ効果が得られる。
【００４４】
また、図１のループアンテナ１，２の上下を反対にしても同じ効果が得られることは言うまでもない。
【００４５】
また、図１７は、この実施の形態の他の変更例を示す図であって、図３と対比される図である。図１７を参照して、この室内アンテナ装置が図３の室内アンテナ装置と異なる点は、０度および１８０度方向の長さが９０度および２７０度方向の長さよりも長い点である。
【００４６】
図１８（ａ）〜（ｈ）は、図１７で示した変更例の指向性を示す図であって、図５と対比される図である。図１８（ａ）（ｂ）に示すように、給電点Ｐ１，Ｐ３を出力端子Ｔ１に接続するとともに、給電点Ｐ２，Ｐ４を出力端子Ｔ２に接続すると、室内アンテナ装置の指向性は、図１８（ｂ）に示すように、０度方向および１８０度方向で受信感度が最大になる８字指向性となる。
【００４７】
また図１８（ｃ）（ｄ）に示すように、給電点Ｐ３，Ｐ４をそれぞれ出力端子Ｔ２，Ｔ１に接続すると、室内アンテナ装置の指向性は、図１８（ｄ）に示すように、４５度方向および２２５度方向よりも９０度および２７０度側にずれた方向で受信感度が最大になる８字指向性となる。このときの８字指向性の方向は、図１８（ｃ）におけるループアンテナ１，２の縦横の長さの比で決まる。
【００４８】
また図１８（ｅ）（ｆ）に示すように、給電点Ｐ１，Ｐ４を出力端子Ｔ１に接続するとともに、給電点Ｐ２，Ｐ３を出力端子Ｔ２に接続すると、室内アンテナ装置の指向性は、図１８（ｆ）に示すように、９０度方向および２７０度方向で受信感度が最大になる８字指向性となる。
【００４９】
また図１８（ｇ）（ｈ）に示すように、給電点Ｐ１，Ｐ２をそれぞれ出力端子Ｔ１，Ｔ２に接続すると、室内アンテナ装置の指向性は、図１８（ｈ）に示すように、１３５度方向および３１５度方向よりも９０度および２７０度側にずれた方向で受信感度が最大になる８字指向性となる。このときの８字指向性の方向は、図１８（ｇ）におけるループアンテナ１，２の縦横の長さの比で決まる。この変更例でも、実施の形態と同じ効果が得られる。なお、この変更例では、図１７で示したように、ループアンテナ１，２の０度および１８０度方向の長さを９０度および２７０度方向の長さよりも長くしたが、逆に、ループアンテナ１，２の９０度および２７０度方向の長さを０度および１８０度方向の長さよりも長くしても同じ効果が得られることは言うまでもない。
【００５０】
また、この実施の形態では、本願発明がＵＨＦ放送を受信する室内アンテナ装置に適用された場合について説明したが、本願発明はＵＨＦ以外の周波数の電波を受信するアンテナ装置にも適用可能である。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】この発明の一実施の形態による室内アンテナ装置の要部を示す図である。
【図２】図１に示したループアンテナの形状および寸法を示す図である。
【図３】図１に示した１対のループアンテナの下端部を示す図である。
【図４】図１で説明した室内アンテナ装置に含まれるスイッチを示す図である。
【図５】図１で説明した室内アンテナ装置の指向性を制御する方法を示す図である。
【図６】図４に示したスイッチの要部を示す図である。
【図７】図４に示したスイッチの要部を示す他の図である。
【図８】図６および図７に示したスイッチの動作を示す図である。
【図９】図１〜図８で示した室内アンテナ装置の全体構成を示す斜視図である。
【図１０】図９に示したロッドアンテナを伸ばした状態を示す図である。
【図１１】図９に示したケースの右側カバー部を外した状態を示す図である。
【図１２】図１１に示したケースの中央部などを外した状態を示す図である。
【図１３】図１２に示したケースの左側カバー部などを外した状態を示す図である。
【図１４】この実施の形態の比較例を示す図である。
【図１５】図１４に示した比較例と本願発明の利得を比較する図である。
【図１６】この実施の形態の変更例を示す図である。
【図１７】この実施の形態の他の変更例を示す図である。
【図１８】図１７で示した変更例の指向性を制御する方法を示す図である。
【符号の説明】
【００５３】
１，２，４０，４１  ループアンテナ、１ａ，１ｂ，２ａ，２ｂ  アンテナ片、３  長方形、Ｐ１〜Ｐ４  給電点、ＭＬ  金属線、４  スイッチ、Ｔ１，Ｔ２  出力端子、１０  絶縁基板、１１〜１４  入力端子、１５  電極、１６，１７  出力端子、２０  スライダ、２１，２２  摺動子、２１ａ，２２ａ  接点、３０  室内アンテナ装置、３１  ケース、３１ａ  右側カバー部、３１ｂ  中央部、３１ｃ  左側カバー部、３１ｄ  台座、３２，３３  ロッドアンテナ、３２ａ，３３ａ  回動部材、３４  増幅器。
【図１】
2008278167.tif 000003
【図２】
2008278167.tif 000004
【図３】
2008278167.tif 000005
【図４】
2008278167.tif 000006
【図５】
2008278167.tif 000007
【図６】
2008278167.tif 000008
【図７】
2008278167.tif 000009
【図８】
2008278167.tif 000010
【図９】
2008278167.tif 000011
【図１０】
2008278167.tif 000012
【図１１】
2008278167.tif 000013
【図１２】
2008278167.tif 000014
【図１３】
2008278167.tif 000015
【図１４】
2008278167.tif 000016
【図１５】
2008278167.tif 000017
【図１６】
2008278167.tif 000018
【図１７】
2008278167.tif 000019
【図１８】
2008278167.tif 000020